(57)【要約】【課題】他機器から電源オン制御された場合、他機器が電源オフ制御を行えなくなったとしても、自ら自身の電源をオフすることのできる電子機器を提供する。【解決手段】バスによって接続された複数の電子機器間にてインテリジェンスな通信を行うネットワークシステムのインターフェースを有し、そのバスを介した外部機器からの電源制御（ＰＯＷＥＲ　Ｃｏｎｔｒｏｌコマンド）を受け付ける電源被制御手段を備える電子機器において、バスで繋がれている他機器がネットワーク上から外れたことを監視する監視手段を有し、前記監視手段により、バスによる本機器の電源オン制御を行った他機器がネットワーク上から外れたことを検出し、自動的に自身の電源をオフする機能を有する電子機器。【選択図】　図３
2004145637.tif 000002
【特許請求の範囲】
【請求項１】
バスによって接続された複数の電子機器間にてデータ通信を行うネットワークシステムのインターフェースを有し、該バスを介した外部機器からの電源制御（ＰＯＷＥＲ　Ｃｏｎｔｒｏｌコマンド）を受け付ける電源被制御手段を備える電子機器において、該バスで繋がれている他機器がネットワーク上から外れたことを監視する監視手段を有し、該監視手段により、該バスによる本機器の電源オン制御を行った他機器がネットワーク上から外れたことを検出し、自動的に自身の電源をオフする機能を有することを特徴とする電子機器。
【請求項２】
請求項１に記載の電子機器において、ユーザに対して合図を行う合図手段を備え、バスによる本機器の電源オン制御を行った他機器がネットワーク上から外れたことにより自身の電源をオフする際、上記合図手段により、事前にユーザに対して警告及び／又は確認を行う機能を有することを特徴とする電子機器。
【請求項３】
バスによって接続された複数の電子機器間にてデータ通信を行うネットワークシステムのインターフェースを有し、該バスを介した外部機器からの電源制御（ＰＯＷＥＲ　Ｃｏｎｔｒｏｌコマンド）を受け付ける電源被制御手段と、カウントダウンタイマによる電源オフ機能（オフタイマ機能）とを備える電子機器において、他機器がバスにより本機器の電源オン制御を行った際、自動的に自身のオフタイマを設定する機能を有することを特徴とする電子機器。
【請求項４】
請求項３に記載の電子機器において、他機器がバスにより本機器の電源オン制御を行ったことで自身のオフタイマを設定した後に何かしらのユーザ操作があった場合、自動的にオフタイマを解除する機能を有することを特徴とする電子機器。
【請求項５】
前記バスがＩＥＥＥ１３９４シリアルバスであることを特徴とする請求項１ないし４のいずれかに記載の電子機器。
【発明の詳細な説明】
【０００１】
【発明の属する技術分野】
本発明は、例えばデジタルＳＴＢ（セットトップボックス）やデジタルテレビジョン、Ｄ−ＶＨＳビデオデッキやＤＶカムコーダなどのＩＥＥＥ１３９４シリアルバスに接続して使用するデジタルＡＶ機器に関するものであり、詳しくはＩＥＥＥ１３９４シリアルバスに接続された複数の機器間でバスを介した電源制御を行う電源被制御手段を有する電子機器に関するものである。
【０００２】
【従来の技術】
デジタルＳＴＢやデジタルテレビジョン、Ｄ−ＶＨＳビデオデッキやＤＶカムコーダなどをＩＥＥＥ１３９４シリアルバスで接続することにより、デジタルビデオ信号やデジタルオーディオ信号、及び制御信号のパケットを送受信するシステムが存在している。このシステムの応用技術として、デジタルテレビジョンがＯＳＤ（Ｏｎ　Ｓｃｒｅｅｎ　Ｄｉｓｐｌａｙ）機能を利用した画面上のユーザ操作により他機器をリモートコントロールする機能や、Ｄ−ＶＨＳビデオデッキがデジタルＳＴＢを制御して予約録画動作を実現する機能などが考えられている。
【０００３】
これら機能を実現するため、他機器を制御する手段としてＡＶ／Ｃコマンドが利用されている。ＡＶ／ＣコマンドはＩＥＥＥ１３９４シリアルバスに接続されたデジタルＡＶ機器をリモートで制御するためのコマンドセットである。ＡＶ／Ｃコマンドでは、機器（ユニット）共通のコマンド（Ｕｎｉｔ　Ｃｏｍｍａｎｄ）がＡＶ／Ｃ　Ｇｅｎｅｒａｌ規格により定義されており、機器本体の電源制御コマンド（ＰＯＷＥＲ　Ｃｏｎｔｒｏｌコマンド）はこれに相当する。また、機種固有の機能をサブユニットとして扱い、それぞれのサブユニット毎に制御コマンド（Ｓｕｂｕｎｉｔ　Ｃｏｍｍａｎｄ）が定義されている。例えば、ＳＴＢに搭載されるチューナサブユニット（Ｔｕｎｅｒ　Ｓｕｂｕｎｉｔ）には、チャンネル選局を行うための選局制御コマンド（ＳＥＬＥＣＴ　Ｃｏｎｔｒｏｌコマンド）などが定義されている。
【０００４】
ここでは上記システムの応用技術として、デジタルＳＴＢ（以下ＳＴＢ）が出力するデジタルビデオ信号をＤ−ＶＨＳビデオデッキ（以下Ｄ−ＶＨＳ）で記録する予約録画機能において、ユーザがＤ−ＶＨＳ側に予約内容を設定し、Ｄ−ＶＨＳがＳＴＢを制御することで予約録画動作を実現する場合（Ｄ−ＶＨＳが制御側、ＳＴＢが被制御側の場合）の技術を一例として示す。
【０００５】
ユーザがＤ−ＶＨＳ側に録画予約を設定すると、Ｄ−ＶＨＳは予約待機状態となり、現在時刻がユーザ指定の録画開始時刻になるまで待機する。録画開始時刻の少し前になると、Ｄ−ＶＨＳはＳＴＢに対してＡＶ／ＣコマンドのＰＯＷＥＲ　Ｃｏｎｔｒｏｌコマンド［ＯＮ］を送信し、ＳＴＢを電源オン状態にする。その後、ＳＥＬＥＣＴ　Ｃｏｎｔｒｏｌコマンドを送信し、ＳＴＢをユーザ指定の録画チャンネルに選局する。被制御側のＳＴＢはＤ−ＶＨＳからの制御コマンドに従って自身を動作させるだけである。録画開始時刻になると、Ｄ−ＶＨＳは自身を録画状態とし、ＳＴＢが出力するデジタルビデオ信号の記録を開始する。ここまでが予約録画開始のシーケンスである。
【０００６】
現在時刻がユーザ指定の録画終了時刻になると、Ｄ−ＶＨＳは自身を停止状態とし、ＳＴＢが出力するデジタルビデオ信号の記録を終了する。その後、ＳＴＢに対してＡＶ／ＣコマンドのＰＯＷＥＲ　Ｃｏｎｔｒｏｌコマンド［ＯＦＦ］を送信し、ＳＴＢを予約録画開始前の電源オフ状態に戻す。
上記のように予約録画動作が実現されるが、ＳＴＢはＤ−ＶＨＳからのＡＶ／Ｃコマンドによる制御に従って自身を動作させているだけである。
【０００７】
【発明が解決しようとする課題】
上記従来例では、ＡＶ／ＣコマンドのＰＯＷＥＲ　Ｃｏｎｔｒｏｌコマンド［ＯＮ］で電源オン制御されたＳＴＢは、ＰＯＷＥＲ　Ｃｏｎｔｒｏｌコマンド［ＯＦＦ］により電源オフ制御されない限り電源オンを保持し続ける。無論、ユーザが故意的にＳＴＢの電源をオフすればこの限りではないが、予約録画ということを考慮すると、ユーザが無意識の状態で予約録画が動作する場合がほとんどである。
【０００８】
万が一、Ｄ−ＶＨＳがＳＴＢにＰＯＷＥＲ　Ｃｏｎｔｒｏｌコマンド［ＯＮ］を送信した後、何かしらの理由によりＤ−ＶＨＳがＩＥＥＥ１３９４シリアルバスのネットワーク上から存在しなくなってしまった場合、例えばＤ−ＶＨＳに繋がれているＩＥＥＥ１３９４シリアルバスのケーブルが抜けてしまった場合や、Ｄ−ＶＨＳの電源ケーブルが抜けてしまい電源が落ちてしまった場合には、ＳＴＢへの予約録画制御シーケンスが中断されてしまう。この場合、予約録画制御シーケンスの最後となるＰＯＷＥＲ　Ｃｏｎｔｒｏｌコマンド［ＯＦＦ］の送信が行えなくなり、ＳＴＢが電源オン状態を保持し続けることになり、安全性や省エネ性に課題が残る。
【０００９】
そこで、本発明は、他機器から電源オン制御された場合、他機器が電源オフ制御を行えなくなったとしても、自ら自身の電源をオフすることのできる電子機器を提供することを目的とする。
【００１０】
【課題を解決するための手段】
本発明者は、鋭意研究した結果、特定の機能を有する監視手段を備えるか、又は自動的に自身のオフタイマを設定することで上記課題が解決されることを見出し、本発明に至った。
【００１１】
即ち、本発明は、バスによって接続された複数の電子機器間にてデータ通信を行うネットワークシステムのインターフェース、例えばＩＥＥＥ１３９４シリアルバスインターフェースを有する電子機器において、バスによる電源オン制御を行った他機器がネットワーク上から外れたことを検出することで、自動的に自身の電源をオフするようにしたものである。また、他機器から電源オン制御された時点でオフタイマを設定することで、自動的に自身の電源をオフするようにしたものである。
【００１２】
具体的には、第１の本発明は、バスによって接続された複数の電子機器間にてデータ通信を行うネットワークシステムのインターフェースを有し、そのバスを介した外部機器からの電源制御（ＰＯＷＥＲ　Ｃｏｎｔｒｏｌコマンド）を受け付ける電源被制御手段を備える電子機器において、バスで繋がれている他機器がネットワーク上から外れたことを監視する監視手段を有し、前記監視手段により、バスによる本機器の電源オン制御を行った他機器がネットワーク上から外れたことを検出し、自動的に自身の電源をオフする機能を有することを特徴とする電子機器である。ここで、テレビジョン受信機のＯＳＤ（Ｏｎ　Ｓｃｒｅｅｎ　Ｄｉｓｐｌａｙ）機能など、ユーザに対して合図を行う合図手段を備え、バスによる本機器の電源オン制御を行った他機器がネットワーク上から外れたことにより自身の電源をオフする際、上記合図手段により、事前にユーザに対して警告及び／又は確認を行う機能を有することが好ましい。
【００１３】
第２の本発明は、バスによって接続された複数の電子機器間にてデータ通信を行うネットワークシステムのインターフェースを有し、そのバスを介した外部機器からの電源制御（ＰＯＷＥＲ　Ｃｏｎｔｒｏｌコマンド）を受け付ける電源被制御手段と、カウントダウンタイマによる電源オフ機能（オフタイマ機能）とを備える電子機器において、他機器がバスにより本機器の電源オン制御を行った際、自動的に自身のオフタイマを設定する機能を有することを特徴とする電子機器である。ここで、他機器がバスにより本機器の電源オン制御を行ったことで自身のオフタイマを設定した後に何かしらのユーザ操作があった場合、自動的にオフタイマを解除する機能を有することが好ましい。
第１及び第２の本発明において、前記バスがＩＥＥＥ１３９４シリアルバスであることが好ましい。
【００１４】
【発明の実施の形態】
［実施例１］
以下、請求項１に関する発明の一実施例について説明する。
図１は、ＩＥＥＥ１３９４シリアルバス１３に接続されたデジタルＳＴＢ１１（以下ＳＴＢ１１）とＤ−ＶＨＳビデオデッキ１２（以下Ｄ−ＶＨＳ１２）のシステム構成図を示す。ＳＴＢ１１とＤ−ＶＨＳ１２は、それぞれＩＥＥＥ１３９４インターフェイス部１１５、１２２を有しており、ＩＥＥＥ１３９４シリアルバス１３を介して、デジタルＡＶ（Ａｕｄｉｏ／Ｖｉｄｅｏ）信号であるパーシャルトランスポートストリーム（以下パーシャルＴＳ）の入出力、及びＡＶ／Ｃコマンドの送受信が可能な機器である。Ｄ−ＶＨＳ１２はＡＶ／ＣコマンドのＴｕｎｅｒ　Ｓｕｂｕｎｉｔコントローラ機能を有しており、外部のＴｕｎｅｒ　Ｓｕｂｕｎｉｔターゲット機器を制御することが可能である。ＳＴＢ１１はＡＶ／ＣコマンドのＴｕｎｅｒ　Ｓｕｂｕｎｉｔターゲット機能を有しており、コントローラであるＤ−ＶＨＳ１２により制御される。
【００１５】
本実施例では、Ｄ−ＶＨＳ１２の予約録画機能において、Ｄ−ＶＨＳ１２がＡＶ／ＣコマンドによりＳＴＢ１１を制御し、ＳＴＢ１１の出力するパーシャルＴＳをＤ−ＶＨＳ１２の記録再生部１２３で記録することにより、予約録画動作を実現する場合を説明する。
【００１６】
図２は、コントローラとなるＤ−ＶＨＳ１２の予約録画動作を示すフローチャートであり、Ｄ−ＶＨＳ１２の制御部１２１にて処理される。本フローチャートは、ユーザがＤ−ＶＨＳ１２の予約設定を行い、Ｄ−ＶＨＳ１２の内部時計が予約録画開始時刻になった後にスタートする。Ｄ−ＶＨＳ１２はターゲットであるＳＴＢ１１に対してＡＶ／ＣコマンドのＰＯＷＥＲ　Ｃｏｎｔｒｏｌコマンド［ＯＮ］を送信し（手順２１）、ＳＴＢ１１の電源をオンする。次にＳＥＬＥＣＴ　Ｃｏｎｔｒｏｌコマンドを送信し（手順２２）、ＳＴＢ１１の受信チャンネルをユーザが設定した予約録画チャンネルに選局する。ＳＴＢ１１の選局が完了し、当該チャンネルのパーシャルＴＳがＳＴＢ１１から出力されたのを確認した後、録画動作を開始する（手順２３）。ユーザが設定した予約録画時間が経過した後、録画動作を終了する（手順２５）。最後にＤ−ＶＨＳ１２はＳＴＢ１１にＡＶ／ＣコマンドのＰＯＷＥＲ　Ｃｏｎｔｒｏｌコマンド［ＯＦＦ］を送信してＳＴＢ１１の電源をオフする（手順２６）。以上で予約録画動作が正常に完了する。
【００１７】
図３は、ターゲットとなるＳＴＢ１１が外部機器から電源オン制御された際の動作を示すフローチャートであり、ＳＴＢ１１の制御部１１４にて処理される。本フローチャートは、請求項１の内容を具体的に示したものであり、コントローラである外部機器Ｄ−ＶＨＳ１２が送信したＡＶ／ＣコマンドのＰＯＷＥＲ　Ｃｏｎｔｒｏｌコマンド［ＯＮ］を受信した後にスタートする。ＳＴＢ１１はＰＯＷＥＲ　Ｃｏｎｔｒｏｌコマンド［ＯＮ］を受信した後、ＰＯＷＥＲ　Ｃｏｎｔｒｏｌコマンド［ＯＮ］を送信してきた外部機器（コントローラ）を認識する（手順３１）。具体的な認識方法としては、ＡＶ／ＣコマンドのＰＯＷＥＲ　Ｃｏｎｔｒｏｌコマンドを構成するＡｓｙｎｃｈｒｏｎｏｕｓパケットの１３９４　ｐａｃｋｅｔ　ｈｅａｄｅｒに含まれるｓｏｕｒｃｅ　ＩＤから機器単体毎に割り当てられた固有のＥＵＩ６４コードを割り出し、ＰＯＷＥＲ　Ｃｏｎｔｒｏｌコマンド［ＯＮ］を送信してきた機器を認識する。その後、ＳＴＢ１１は自身の電源をオンする。本実施例において、ＰＯＷＥＲ　Ｃｏｎｔｒｏｌコマンド［ＯＮ］を送信してきた外部機器（コントローラ）はＤ−ＶＨＳ１２であり、Ｄ−ＶＨＳ１２は予約録画動作の過程としてＳＴＢ１１の電源をオンしてきた。つまり、その後はＤ−ＶＨＳ１２によりＡＶ／ＣコマンドのＳＥＬＥＣＴ　Ｃｏｎｔｒｏｌコマンドが送信され、ＳＴＢ１１の受信チャンネルがユーザに設定された予約録画チャンネルに選局される。更にその後、予約録画時間が経過した後は、Ｄ−ＶＨＳ１２によりＰＯＷＥＲ　Ｃｏｎｔｒｏｌコマンド［ＯＦＦ］が送信され、ＳＴＢ１１の電源がオフされるはずである。
【００１８】
もし、何かしらの理由により、Ｄ−ＶＨＳ１２がＩＥＥＥ１３９４シリアルバスのネットワーク上から存在しなくなってしまった場合、例えばＤ−ＶＨＳ１２に繋がれているＩＥＥＥ１３９４シリアルバスのケーブルが抜けてしまったときや、Ｄ−ＶＨＳ１２の電源ケーブルが抜けてしまい電源が落ちてしまったときなど、不慮の事故が発生した場合は、Ｄ−ＶＨＳ１２によるＰＯＷＥＲ　Ｃｏｎｔｒｏｌコマンド［ＯＦＦ］が送信されなくなり、ＳＴＢ１１が電源オン状態を保持しつづけてしまう。
【００１９】
これを解決する手段として、手順３３の判断処理が存在する。この判断処理では、手順３１にて認識したコントローラ機器がＩＥＥＥ１３９４シリアルバスのネットワーク上に存在しているかどうかを判断する処理である。コントローラ機器がＩＥＥＥ１３９４シリアルバスのネットワーク上に存在しなくなってしまった場合は、コントローラ機器がもはや電源オフ制御、つまりＰＯＷＥＲ　Ｃｏｎｔｒｏｌコマンド［ＯＦＦ］を送信してこないものと判断し、自身の電源を自らオフする（手順３５）。コントローラ機器がＩＥＥＥ１３９４シリアルバスのネットワーク上に存在しつづけている間は、コントローラ機器からの電源オフ制御、つまりＰＯＷＥＲ　Ｃｏｎｔｒｏｌコマンド［ＯＦＦ］が送信されるのを待ちつづける。
【００２０】
以上のようにＳＴＢ１１は、外部機器から電源オン制御された際、不慮の事故で外部機器が電源オフ制御してこないことを認識して自ら電源をオフし、永遠に電源オン状態が持続されることを防止する。
【００２１】
［実施例２］
以下、請求項２に関する発明の一実施例について説明する。
上記実施例１において、ＳＴＢ１１が自ら電源オフする際（手順３５）、もしユーザがＳＴＢ１１に接続されたモニタ画面にてＳＴＢ１１が選局している予約録画チャンネルを視聴していた場合、何の合図もなく電源オフしてしまうと、ユーザが困惑してしまう可能性がある。請求項２に関する発明では、電源オフする前段階でユーザに電源をオフする旨を事前に合図する。
【００２２】
図４は、外部機器から電源オフ制御されたターゲット機器、本実施例ではＳＴＢ１１が、自らの電源オフする際、事前にユーザに対して行う合図の一例を示したものである。図４では、ＳＴＢ１１に接続、あるいは内蔵されているモニタ画面４１があり、そのモニタ画面４１にはＯＳＤ（Ｏｎ　Ｓｃｒｅｅｎ　Ｄｉｓｐｌａｙ）として表示されたメッセージボックス４２と、メッセージボックス４２上に重ねて表示された仮想ボタン４３（以下ボタン４３）がある。
【００２３】
上記実施例１で説明したように、ターゲットは、電源オン制御してきた外部機器が不慮の事故で電源オフ制御してこないことを認識した場合は、図４に示すメッセージボックス４２をモニタ画面４１にＯＳＤとして表示する。この例ではメッセージボックス４２上に「本機の電源をオンした外部機器が見つかりません。省エネのため、本機の電源を１分後にオフします」とのメッセージ文が表示されている。このメッセージ文の内容が示すように、ユーザに対して電源をオフする旨を事前に合図している。ボタン４３上はターゲットが自ら電源オフすることをユーザに解除させるための機能があり、ボタン４３上には「オフしない」とのメッセージ文が表示されている。つまり、ターゲット機器が自動的に自らの電源をオフする際、ユーザに対して事前に合図を行うと共に、ユーザに自動的な電源オフ動作を解除させる手段を提供している。
【００２４】
本実施例とは別の合図手段として、ターゲット機器に搭載されたＬＥＤインディケータを点灯、或いは点滅させたり、搭載されたブザー装置を鳴らすなどが考えられるが、それらの合図手段はすべて本発明に含まれる。
【００２５】
［実施例３］
以下、請求項３及び請求項４に関する発明の一実施例について説明する。
本実施例は、上記実施例１で使用した図１のシステム構成上で実現され、コントローラ機器であるＤ−ＶＨＳ１２の予約録画動作処理も図２のフローチャートと同じである。また、ＳＴＢ１１には、カウントダウンタイマ方式のオフタイマ機能が搭載されているものとする。
【００２６】
図５は、ターゲットとなるＳＴＢ１１が外部機器から電源オン制御された際の動作を示すフローチャートであり、ＳＴＢ１１の制御部１１４で処理される。本フローチャートは、請求項３及び請求項４の内容を具体的に示したものであり、コントローラである外部機器Ｄ−ＶＨＳ１２が送信したＡＶ／ＣコマンドのＰＯＷＥＲ　Ｃｏｎｔｒｏｌコマンド［ＯＮ］を受信した後にスタートする。
【００２７】
ＳＴＢ１１はＰＯＷＥＲ　Ｃｏｎｔｒｏｌコマンド［ＯＮ］を受信した後、自身の電源をオンし（手順５１）、その後カウントダウンタイマ方式によるオフタイマ機能を自動的に設定しする（手順５２）。本実施例において、ＰＯＷＥＲ　Ｃｏｎｔｒｏｌコマンド［ＯＮ］を送信してきた外部機器（コントローラ）はＤ−ＶＨＳ１２であり、Ｄ−ＶＨＳ１２は予約録画動作の過程としてＳＴＢ１１の電源をオンしてきた。つまり、その後はＤ−ＶＨＳ１２によりＡＶ／ＣコマンドのＳＥＬＥＣＴ　Ｃｏｎｔｒｏｌコマンドが送信され、ＳＴＢ１１の受信チャンネルがユーザに設定された予約録画チャンネルに選局される。更にその後、予約録画時間が経過した後は、Ｄ−ＶＨＳ１２によりＰＯＷＥＲ　Ｃｏｎｔｒｏｌコマンド［ＯＦＦ］が送信され、ＳＴＢ１１の電源がオフされるはずである。
【００２８】
もし、何かしらの理由により、例えばＤ−ＶＨＳ１２に繋がれているＩＥＥＥ１３９４シリアルバスのケーブルが抜けてしまった時や、Ｄ−ＶＨＳ１２の電源ケーブルが抜けてしまい電源が落ちてしまった時など、不慮の事故が発生した場合は、Ｄ−ＶＨＳ１２によるＰＯＷＥＲ　Ｃｏｎｔｒｏｌコマンド［ＯＦＦ］が送信されなくなり、ＳＴＢ１１が電源オン状態を保持し続けてしまう。
【００２９】
これを解決する手段として、手順５２のオフタイマ自動設定処理、及び手順５４の判断処理が存在する。つまり、コントローラ機器が何らしの理由により電源オフ制御を行ってこなかったとしても、手順５２で自動設定されたオフタイマ設定時間が経過した場合は自身の電源をオフする。オフタイマがカウントダウンしている間は、コントローラ機器からの電源オフ制御、つまりＰＯＷＥＲ　Ｃｏｎｔｒｏｌコマンド［ＯＦＦ］が送信されるのを待ちつづける。
【００３０】
もし、上記オフタイマがカウントダウンしている最中にＳＴＢ１１へのユーザ操作があった場合は、ユーザがＳＴＢ１１の視聴を始めた可能性が高い。よって、オフタイマを解除して通常の電源オン状態、つまり外部機器から電源オン制御された場合ではなく、ユーザ操作により電源オンされた場合の電源オン状態と同等な動作状態に移行するのが望ましい。これを実現するために手順５３の判定処理が存在する。
【００３１】
以上のように、ＳＴＢ１１は、外部機器から電源オン制御された際、何かしらの理由により外部機器が電源オフ制御してこなかったとしても、オフタイマ機能により自ら電源をオフし、永遠に電源オン状態が持続されることを防止する。同時にオフタイマがカウントダウンしている間にＳＴＢ１１へのユーザ操作があった場合は、自動的にオフタイマを解除することで、ユーザ視聴中に勝手に電源がオフするのを防止する。
【００３２】
【発明の効果】
請求項１の発明には、電源オン制御を行った外部機器（コントローラ）が、何かしらの理由によりＩＥＥＥ１３９４シリアルバスのネットワーク上から存在しなくなってしまった場合、例えばコントローラに繋がれているＩＥＥＥ１３９４シリアルバスのケーブルが抜けてしまったときや、コントローラの電源ケーブルが抜けてしまい電源が落ちてしまったときなど、不慮の事故が発生した場合に、ターゲットが自らの電源をオフし、永遠に電源オン状態が持続されてしまうことを防止する効果がある。
【００３３】
請求項２の発明には、上記請求項１の発明において、ターゲットが自らの電源をオフする際、事前にユーザに対して合図を行うことで、ユーザが機器の誤動作と勘違いすることを防止する効果がある。
【００３４】
請求項３の発明には、電源オン制御を行った外部機器（コントローラ）が、何かしらの理由により、例えばコントローラに繋がれているＩＥＥＥ１３９４シリアルバスのケーブルが抜けてしまったときや、コントローラの電源ケーブルが抜けてしまい電源が落ちてしまった時など、不慮の事故が発生した場合に、ターゲットが自動的にオフタイマを設定することで、永遠に電源オン状態が持続されてしまうことを防止する効果がある。
【００３５】
請求項４の発明には、上記請求項１の発明において、オフタイマがカウントダウンしている間にターゲット機器へのユーザ操作があった場合、自らオフタイマを解除し、ユーザに対して通常の視聴動作状態に移行させる効果がある。
【００３６】
請求項５の発明には、上記請求項１ないし４の発明において、複数のデジタル機器間でデジタルデータを交換したり、複数のデジタル機器が相互に制御し合うためのネットワークを形成する際のシリアルバスとして、ＩＥＥＥ１３９４シリアルバスを採用することで、本発明を一般化、標準化することが出来るという効果がある。
【図面の簡単な説明】
【図１】本発明の一実施例のシステム構成図を示す。
【図２】図１において、コントローラとなるＤ−ＶＨＳ１２の予約録画動作を示すフローチャートである。
【図３】図１において、ターゲットとなるＳＴＢ１１が外部機器から電源オン制御された際の動作を示すフローチャートである。
【図４】実施例２において、電源オフする際、事前にユーザに対して行う合図の一例を示したものである。
【図５】実施例３において、ターゲットとなるＳＴＢ１１が外部機器から電源オン制御された際の動作を示すフローチャートである。
【符号の説明】
１１・・・デジタルＳＴＢ、１１１・・・チューナ部、１１２・・・ＤＥＭＵＸ部、１１３・・・バックエンド部、１１４・・・制御部、１１５・・・ＩＥＥＥ１３９４インターフェース部、１２・・・Ｄ−ＶＨＳビデオデッキ、１２１・・・制御部、１２２・・・ＩＥＥＥ１３９４インターフェース部、１２３・・・記録再生部、１３・・・ＩＥＥＥ１３９４シリアルバス、４１・・・モニタ画面、４２・・・メッセージボックス、４３・・・仮想ボタン。
【図１】
2004145637.tif 000003
【図２】
2004145637.tif 000004
【図３】
2004145637.tif 000005
【図４】
2004145637.tif 000006
【図５】
2004145637.tif 000007